(57)【要約】【課題】検針漏れがあった場合でも、ＬＰガスボンベの最適な配送計画の策定を支援し得る、配送支援装置、配送支援方法、及びプログラムを提供する。【解決手段】配送支援装置１０は、ＬＰガスボンベの配送計画の策定を支援するため、建物のガスメータ毎に、当該ガスメータの検針で得られた値に基づいて、当該ガスメータが対応する供給先における一日当たりのガス使用量を算出し、算出したガスメータ毎のガス使用量を合算する、第１の計算部１１と、建物から回収されたＬＰガスボンベに新たにＬＰガスを充填したときの充填量を、ＬＰガスボンベの使用が開始されてから回収されるまでの期間で、除算する、第２の計算部１２と、第１の計算部が算出した合算値と第２の計算部が算出した除算値とを対比し、値が大きい方を、建物における一日当たりのガス使用量に決定する、ガス使用量決定部１３と、を備えている。【選択図】図１
2012219933.tif 000002
【特許請求の範囲】
【請求項１】
１または２以上のガスメータを備える建物を対象としたＬＰガスボンベの配送計画の策定を支援するための装置であって、
前記建物の前記ガスメータ毎に、当該ガスメータの検針で得られた値に基づいて、当該ガスメータが対応する供給先における一日当たりのガス使用量を算出し、算出した前記ガスメータ毎のガス使用量を合算する、第１の計算部と、
前記建物から回収された前記ＬＰガスボンベに新たにＬＰガスを充填したときの充填量を、前記ＬＰガスボンベの使用が開始されてから回収されるまでの期間で、除算する、第２の計算部と、
前記第１の計算部が算出した合算値と、前記第２の計算部が算出した除算値とを対比し、値が大きい方を、前記建物における一日当たりのガス使用量に決定する、ガス使用量決定部と、
を備えていることを特徴とする配送支援装置。
【請求項２】
前記ガス使用量決定部によって決定された、前記建物における一日当たりのガス使用量に基づいて、前記ＬＰガスボンベの配送予定日を決定する、予定日決定部を更に備えている、請求項１に記載の配送支援装置。
【請求項３】
前記建物が、２以上のガスメータを備える集合住宅である、請求項１または２に記載の配送支援装置。
【請求項４】
前記ガスメータの検針が定期的に実行されており、
前記第１の計算部が、連続して実行された２回の検針で得られた値から、前記供給先における一日当たりのガス使用量を算出する、
請求項１〜３のいずれかに記載の配送支援装置。
【請求項５】
前記ガス使用量決定部が、前記合算値の算出の元となった前記２回の検針の間の期間と、前記除算値の元となった前記ＬＰガスボンベの使用が開始されてから回収されるまでの期間とが重なる場合に、前記第１の計算部が算出した合算値と、前記第２の計算部が算出した除算値とを対比する、
請求項４に記載の配送支援装置。
【請求項６】
前記ガス使用量決定部が、決定した前記建物における一日当たりのガス使用量の値を、前記建物の環境に応じて補正する、
請求項１〜５のいずれかに記載の配送支援装置。
【請求項７】
１または２以上のガスメータを備える建物を対象としたＬＰガスボンベの配送計画の策定を支援するための方法であって、
（ａ）前記建物の前記ガスメータ毎に、当該ガスメータの検針で得られた値に基づいて、当該ガスメータが対応する供給先における一日当たりのガス使用量を算出し、算出した前記ガスメータ毎のガス使用量を合算する、ステップと、
（ｂ）前記建物から回収された前記ＬＰガスボンベに新たにＬＰガスを充填したときの充填量を、前記ＬＰガスボンベの使用が開始されてから回収されるまでの期間で、除算する、ステップと、
（ｃ）前記（ａ）のステップで算出した合算値と、前記（ｂ）のステップで算出した除算値とを対比し、値が大きい方を、前記建物における一日当たりのガス使用量に決定する、ステップと、
を有することを特徴とする配送支援方法。
【請求項８】
コンピュータによって、１または２以上のガスメータを備える建物を対象としたＬＰガスボンベの配送計画の策定を支援するためのプログラムであって、
前記コンピュータに、
（ａ）前記建物の前記ガスメータ毎に、当該ガスメータの検針で得られた値に基づいて、当該ガスメータが対応する供給先における一日当たりのガス使用量を算出し、算出した前記ガスメータ毎のガス使用量を合算する、ステップと、
（ｂ）前記建物から回収された前記ＬＰガスボンベに新たにＬＰガスを充填したときの充填量を、前記ＬＰガスボンベの使用が開始されてから回収されるまでの期間で、除算する、ステップと、
（ｃ）前記（ａ）のステップで算出した合算値と、前記（ｂ）のステップで算出した除算値とを対比し、値が大きい方を、前記建物における一日当たりのガス使用量に決定する、ステップと、
を実行させるプログラム。
【発明の詳細な説明】
【技術分野】
【０００１】
本発明は、ＬＰガスボンベの配送計画の策定を支援する、配送支援装置、配送支援方法、およびプログラムに関する。
【背景技術】
【０００２】
一般に、ＬＰガス（液化石油ガス（Liquefied Petroleum Gas））の家庭への供給は、一戸建てであれば戸毎に、集合住宅であれば建物毎に、行なわれている（例えば、特許文献１参照。）。図７は、従来からのＬＰガスの供給システムの一例を示す図であり、図７（ａ）は供給対象が一戸建ての場合を示し、図７（ｂ）は供給対象が集合住宅の場合を示している。
【０００３】
図７（ａ）に示すように、一戸建ての住宅では、ＬＰガスボンベ６１が、ガスメータ６２と共に、戸毎に配置される。また、通常、ＬＰガスボンベ６１は複数本配置され、そのうち一本がメインとして使用され、残りはサブとして使用される。
【０００４】
一方、図７（ｂ）に示すように、集合住宅では、ＬＰガスボンベ６１は建物毎に配置されるが、ガスメータ６２は部屋毎に配置される。なお、この場合も、ＬＰガスボンベ６１は複数本配置され、そのうち一本がメインとして使用され、残りはサブとして使用される。
【０００５】
また、一戸建ての場合及び集合住宅の場合のいずれにおいても、ＬＰガスボンベの配送業者は、配送計画に沿って、交換用のＬＰガスボンベを配送する。そして、配送業者は、いままでサブとして配置されていたＬＰガスボンベ６１をメインとし、新しく配送してきたＬＰガスボンベをサブとする。
【０００６】
そして、通常、配送計画は、メインのＬＰガスボンベが空になる手前で交換が行なわれるよう、各家庭の一日のガス使用量に基づいて立てられている。そのため、配送業者は、各家庭に据え付けのガスメータから得られた検針時の値（指針値）から、各家庭の一日のガス使用量を算出している。また、検針は、通常、月に１回行われるが、一戸建ての住宅では、配送業者が配送の際にも検針を行なうので、配送計画の精度が上げられている。
【０００７】
なお、図７（ｂ）に示したように、集合住宅では、ガスメータ６２は、各部屋にあるのに対して、ＬＰガスボンベは、専用の置き場所にまとめて配置されるので、配送の際の検針は行われておらず、一日のガス使用量は、月１回の検針から算出される。つまり、集合住宅では、当月の指針値と前月の指針値との差を求め、これを前月の検針日から当月の検針日までの日数で除算することによって、一日のガス使用量が求められる。
【先行技術文献】
【特許文献】
【０００８】
【特許文献１】特許第２７１３８２０号公報（第６図、第７図）
【発明の概要】
【発明が解決しようとする課題】
【０００９】
ところで、検針は人手によって行なわれるため、担当者の不注意によって検針漏れが発生する場合がある。この場合は、指針値が取得できていないため、前々月と前月との指針値を用いたり、検針が行なわれなかった月を挟む２つの月の指針値を用いたりして、一日のガス使用量が求められる。
【００１０】
しかしながら、ガス使用量は、気温などに応じて変動することから、このようにして求めたガス使用量は、不正確な値となっている可能性が高く、最適な配送計画を立てることが困難となる。また、検針漏れがなかったとしても、１回の検針から得られるガス使用量は、２回の検針から得られるガス使用量に比べて、信頼度が低く、この点からも最適な配送計画を立てることは困難となる。
【００１１】
そして、配送計画が最適でない場合は、ＬＰガスが足りなくなったり、まだ十分に残量がある状態でＬＰガスボンベを交換しなければならなかったり、といった問題が発生する可能性がある。
【００１２】
本発明の目的の一例は、上記問題を解消し、検針漏れがあった場合でも、ＬＰガスボンベの最適な配送計画の策定を支援し得る、配送支援装置、配送支援方法、及びプログラムを提供することにある。
【課題を解決するための手段】
【００１３】
上記目的を達成するため、本発明の一側面における配送支援装置は、１または２以上のガスメータを備える建物を対象としたＬＰガスボンベの配送計画の策定を支援するための装置であって、
前記建物の前記ガスメータ毎に、当該ガスメータの検針で得られた値に基づいて、当該ガスメータが対応する供給先における一日当たりのガス使用量を算出し、算出した前記ガスメータ毎のガス使用量を合算する、第１の計算部と、
前記建物から回収された前記ＬＰガスボンベに新たにＬＰガスを充填したときの充填量を、前記ＬＰガスボンベの使用が開始されてから回収されるまでの期間で、除算する、第２の計算部と、
前記第１の計算部が算出した合算値と、前記第２の計算部が算出した除算値とを対比し、値が大きい方を、前記建物における一日当たりのガス使用量に決定する、ガス使用量決定部と、
を備えていることを特徴とする。
【００１４】
また、上記目的を達成するため、本発明の一側面における配送支援方法は、１または２以上のガスメータを備える建物を対象としたＬＰガスボンベの配送計画の策定を支援するための方法であって、
（ａ）前記建物の前記ガスメータ毎に、当該ガスメータの検針で得られた値に基づいて、当該ガスメータが対応する供給先における一日当たりのガス使用量を算出し、算出した前記ガスメータ毎のガス使用量を合算する、ステップと、
（ｂ）前記建物から回収された前記ＬＰガスボンベに新たにＬＰガスを充填したときの充填量を、前記ＬＰガスボンベの使用が開始されてから回収されるまでの期間で、除算する、ステップと、
（ｃ）前記（ａ）のステップで算出した合算値と、前記（ｂ）のステップで算出した除算値とを対比し、値が大きい方を、前記建物における一日当たりのガス使用量に決定する、ステップと、
を有することを特徴とする。
【００１５】
更に、上記目的を達成するため、本発明の一側面におけるプログラムは、コンピュータによって、１または２以上のガスメータを備える建物を対象としたＬＰガスボンベの配送計画の策定を支援するためのプログラムであって、
前記コンピュータに、
（ａ）前記建物の前記ガスメータ毎に、当該ガスメータの検針で得られた値に基づいて、当該ガスメータが対応する供給先における一日当たりのガス使用量を算出し、算出した前記ガスメータ毎のガス使用量を合算する、ステップと、
（ｂ）前記建物から回収された前記ＬＰガスボンベに新たにＬＰガスを充填したときの充填量を、前記ＬＰガスボンベの使用が開始されてから回収されるまでの期間で、除算する、ステップと、
（ｃ）前記（ａ）のステップで算出した合算値と、前記（ｂ）のステップで算出した除算値とを対比し、値が大きい方を、前記建物における一日当たりのガス使用量に決定する、ステップと、
を実行させることを特徴とする。
【発明の効果】
【００１６】
以上のように、本発明における、配送支援装置、配送支援方法、及びプログラムによれば、検針漏れがあった場合でも、ＬＰガスボンベの最適な配送計画の策定を支援することができる。
【図面の簡単な説明】
【００１７】
【図１】図１は、本発明の実施の形態における配送支援装置の構成を示すブロック図である。
【図２】図２は、ガスメータの検針によって得られる情報の一例を示す図である。
【図３】図３は、ＬＰガスボンベの交換及び充填を説明するための説明図である。
【図４】図４は、ＬＰガスボンベの配送時期と検針の時期とを説明するための説明図である。
【図５】図５は、本発明の実施の形態における配送支援装置の動作を示すフロー図である。
【図６】図６は、本発明の実施の形態における配送支援装置を実現するコンピュータの一例を示すブロック図である。
【図７】図７は、従来からのＬＰガスの供給システムの一例を示す図であり、図７（ａ）は供給対象が一戸建ての場合を示し、図７（ｂ）は供給対象が集合住宅の場合を示している。
【発明を実施するための形態】
【００１８】
（実施の形態）
以下、本発明の実施の形態における、配送支援装置、配送支援方法、およびプログラムについて、図１〜図５を参照しながら説明する。
【００１９】
［装置構成］
最初に、本実施の形態における配送支援装置１０の構成について図１を用いて説明する。図１は、本発明の実施の形態における配送支援装置の構成を示すブロック図である。
【００２０】
図１に示す、本実施の形態における配送支援装置１０は、特定の建物を対象としたＬＰガスボンベの配送計画の策定を支援するための装置である。この特定の建物は、１または２以上のガスメータを備える建物（図７（ａ）及び（ｂ）参照）であるが、本実施の形態では、建物は複数のガスメータを備える集合住宅であるとする。
【００２１】
図１に示すように、配送支援装置１０は、第１の計算部１１と、第２の計算部１２と、ガス使用量決定部１３とを備えている。第１の計算部１１は、まず、対象となる建物のガスメータ毎に、各ガスメータの検針で得られた値に基づいて、各ガスメータが対応する供給先における一日当たりのガス使用量を算出する。また、第１の計算部１１は、算出したガスメータ毎のガス使用量を合算し、合算値を計算する。
【００２２】
第２の計算部１２は、対象となる建物から回収されたＬＰガスボンベに新たにＬＰガスを充填したときの充填量を、ＬＰガスボンベの使用が開始されてから回収されるまでの期間で、除算し、除算値を計算する。
【００２３】
ガス使用量決定部１３は、第１の計算部１１が算出した合算値と、第２の計算部１２が算出した除算値とを対比し、値が大きい方を、建物における一日当たりのガス使用量に決定する。
【００２４】
このように、配送支援装置１０は、対象となる建物について、ガスメータの値と、回収したＬＰガスボンベの充填量（消費量）とのそれぞれから、一日おけるガス使用量を算出し、一方を採用する。このため、検針漏れにより、検針が行なわれていない月があっても、更に、検針が月に一回しか行なわれていなくても、正確な使用量を求めることができる。よって、配送支援装置１０によれば、ＬＰガスボンベの最適な配送計画の策定を支援することができる。
【００２５】
ここで、図１に加えて、図２〜図４を用いて、更に具体的に配送支援装置１０の構成を説明する。図２は、ガスメータの検針によって得られる情報の一例を示す図である。図３は、ＬＰガスボンベの交換及び充填を説明するための説明図である。図４は、ＬＰガスボンベの配送時期と検針の時期とを説明するための説明図である。
【００２６】
本実施の形態では、配送支援装置１０は、ネットワーク５０を介して、検針用の端末２０と、ＬＰガスボンベのガス充填センターの端末３０と、ＬＰガスボンベの配送担当者の端末４０とに接続されている。また、配送支援装置１０は、更に、予定日決定部１４と、記憶部１５とを備えている。
【００２７】
本実施の形態において、ガスメータの検針は、定期的に（例えば、月に１回）実行されている。具体的には、ガスメータの検針は、図４に示すスケジュールによって実行されているとする。検針担当者は、端末２０を用いて、検針時の値（指針値）と検針日とを配送支援装置１０に通知する。
【００２８】
第１の計算部１１は、端末２０から指針値と検針日との通知を受けると、通知された指針値と検針日とを、図２に示すように、記憶部１５に格納する。そして、第１の計算部１１は、本実施の形態では、連続して実行された２回の検針で得られた指針値から、供給先（集合住宅の一つの部屋）における一日当たりのガス使用量を算出する。
【００２９】
例えば、図２のガスメータ１を例に挙げると、第１の計算部１１は、記憶部１５から、最新の検針（検針日：２０１１年３月５日）での指針値と、その前の検針（検針日：２０１１年２月５日）での指針値とを取得する。そして、第１の計算部１１は、最新の検針での指針値（１２０ｍ３）とその前の検針での指針値（９８ｍ３）との差、即ち、２月５日の検針時から３月５日の検針時までの使用量（２２．０ｍ３）を求め、これを期間（２８日）で除算し、１日当たりのガス使用量（０．７９ｍ３）を算出する。
【００３０】
その後、第１の計算部１１は、ガスメータ毎（部屋毎）に算出した１日当たりのガス使用量を、合算する。得られた合算値は、指針値から得られた、建物全体の１日当たりのガス使用量となる。
【００３１】
また、本実施の形態では、ＬＰガスボンベの配送は、具体的には、図４に示すスケジュールで行なわれているとする。そして、図３に示すように、２０１１年２月２５日の配送により、２月１日から使用を開始したメインのＬＰガスボンベＡが回収されたとする。回収されたＬＰガスボンベＡは、ガス充填センターに運ばれ、そこで、ＬＰガスボンベＡに対して新たにＬＰガスが充填される。また、この時の充填量は測定され、充填量の測定値と、充填対象となったＬＰガスボンベＡの充填前における使用期間（使用開始から回収までの期間）とが、端末３０を介して、配送支援装置１０に通知される。
【００３２】
充填量の測定値が通知されると、配送支援装置１０において、第２の計算部１２が、上述したように、通知された測定値を、ＬＰガスボンベの使用が開始されてから回収されるまでの期間、具体的には２４日で除算する。得られた除算値は、充填量から得られた、建物全体の１日当たりのガス使用量となる。
【００３３】
ガス使用量決定部１３は、本実施の形態では、合算値の算出の元となった２回の検針の間の期間と、除算値の元となったＬＰガスボンベの使用が開始されてから回収されるまでの期間とが重なる場合に、合算値と除算値とを対比する。これは、両者の期間が重ならない場合は、両者を対比の対象とするべきでないからである。
【００３４】
また、本実施の形態では、ガス使用量決定部１３は、決定した建物における一日当たりのガス使用量の値を、建物の環境に応じて、例えば、季節に応じて補正することができる。具体的には、秋から冬へと季節が変わる時期に決定したガス使用量では、翌月に冷え込んだ場合に、実際のガス使用量よりも少なくなる可能性がある。このような場合、ガス使用量決定部１３は、建物の外気温の変化に応じて、決定したガス使用量を増加させる補正を実行する。
【００３５】
反対に、冬から春へと季節が変わる時期に決定したガス使用量では、翌月に暖かくなった場合に、実際のガス使用量よりも多くなる可能性がある。このような場合、ガス使用量決定部１３は、建物の外気温の変化に応じて、決定したガス使用量を低減させる補正を実行する。
【００３６】
また、予定日決定部１４は、ガス使用量決定部１３によって決定された、建物における一日当たりのガス使用量に基づいて、ＬＰガスボンベの配送予定日を決定する。更に、予定日決定部１４は、決定した配送予定日を、ＬＰガスボンベの配送担当者の端末４０に通知する。具体的には、予定日決定部１４は、設置されているガスボンベの使用可能量を、決定したガス使用量で除算して、使用できる日数を算出する。そして、予定日決定部１４は、最新の配送日に、算出した日数を加えて、配送予定日を求める。
【００３７】
なお、上述したように、本実施の形態では、対象となる建物は、２以上のガスメータを備える集合住宅（図７（ｂ）参照）を例に挙げて説明しているが、本実施の形態はこれに限定されるものではない。本実施の形態は、ガスメータが１つの一戸建ての住宅が対象となっていても良い。この場合であっても、ガスメータは１つとなるが、上述した処理を適用することにより、ガス使用量を決定できる。
【００３８】
［装置動作］
次に、本発明の実施の形態における配送支援装置１０の動作について図５を用いて説明する。図５は、本発明の実施の形態における配送支援装置の動作を示すフロー図である。以下の説明においては、適宜図１〜図４を参酌する。また、本実施の形態では、配送支援装置１０を動作させることによって、配送支援方法が実施される。よって、本実施の形態における配送支援方法の説明は、以下の配送支援装置１０の動作説明に代える。
【００３９】
図５に示すように、最初に、第１の計算部１１は、検針用の端末２０から、検針時の指針値と検針日とを取得し、これらを記憶部１５に格納する（ステップＡ１）。次に、第１の計算部１１は、記憶部１５から、最新の検針での指針値とその前の検針での指針値とを用いて、対象となる建物の部屋毎に、一日当たりのガス使用量を算出する（ステップＡ２）。
【００４０】
続いて、第１の計算部１１は、ステップＡ２で算出した各部屋のガス使用量を合算する（ステップＡ３）。また、第１の計算部１１は、得られた合算値をガス使用量決定部１３に入力する。
【００４１】
次に、第２の計算部１２は、ＬＰガスボンベのガス充填センターの端末３０から、回収したＬＰガスボンベに新たに充填されたＬＰガスの充填量と、充填対象となったＬＰガスボンベの充填前における使用期間とを取得する（ステップＡ４）。続いて、第２の計算部１２は、取得した測定値を、使用期間で除算する（ステップＡ５）。また、第２の計算部１２は、得られた除算値をガス使用量決定部１３に入力する。
【００４２】
次に、ガス使用量決定部１３は、ステップＡ３で算出した合算値と、ステップＡ５で算出した除算値とを対比し、値が大きい方を、対象となる建物における一日当たりのガス使用量に決定する（ステップＡ６）。
【００４３】
なお、ガス使用量決定部１３は、予め、ステップＡ３で算出した合算値の算出の元となった２回の検針の間の期間と、ステップＡ５で算出した除算値の元となったＬＰガスボンベの使用期間とが重なっていることを確認する。そして、重なっている場合に、ガス使用量決定部１３は、ステップＡ６を実行する。
【００４４】
次に、予定日決定部１４は、ステップＡ６で決定されたガス使用量に基づいて、ＬＰガスボンベの配送予定日を決定し（ステップＡ７）、更に、決定した配送予定日を、ＬＰガスボンベの配送担当者の端末４０に通知する（ステップＡ８）。この後、ＬＰガスボンベの配送担当者は、通知された配送予定日に基づいて、実際の配送計画を策定する。
【００４５】
以上のように本実施の形態によれば、検針漏れにより、検針が行なわれていない月があっても、更に、検針が月に一回しか行なわれていなくても、対象となる建物について正確な使用量を求めることができる。よって、本実施の形態によれば、ＬＰガスボンベの最適な配送計画の策定を支援することができる。この結果、ＬＰガスが足りなくなったり、十分に残量がある状態でＬＰガスボンベを交換してしまったり、といった事態が回避される。
【００４６】
また、本実施の形態における配送支援装置１０は、コンピュータに、本実施の形態におけるプログラムを組み込むことによって実現できる。本実施の形態におけるプログラムとしては、コンピュータに、図５に示すステップＡ１〜Ａ８を実行させるプログラムが挙げられる。このプログラムをコンピュータにインストールし、実行すれば、本実施の形態における配送支援装置１０と配送支援方法とが実現される。
【００４７】
また、この場合、コンピュータのＣＰＵ（Central Processing Unit）は、第１の計算部１１、第２の計算部１２、ガス使用量決定部１３、及び予定日決定部１４として機能し、処理を行なう。更に、コンピュータに備えられたハードディスク等の記憶装置が、記憶部１５として機能する。
【００４８】
ここで、実施の形態におけるプログラムを実行することによって、配送支援装置１０を実現するコンピュータについて図６を用いて説明する。図６は、本発明の実施の形態における配送支援装置を実現するコンピュータの一例を示すブロック図である。
【００４９】
図６に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００５０】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００５１】
また、記憶装置１１３の具体例としては、ハードディスクの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００５２】
また、記録媒体１２０の具体例としては、ＣＦ（Compact Flash）及びＳＤ（Secure Digital）等の汎用的な半導体記憶デバイス、フレキシブルディスク（Flexible Disk）等の磁気記憶媒体、又はＣＤ−ＲＯＭ（Compact Disk Read Only Memory）などの光学記憶媒体が挙げられる。
【００５３】
上述した実施の形態の一部又は全部は、以下に記載する（付記１）〜（付記１８）によって表現することができるが、以下の記載に限定されるものではない。
【００５４】
（付記１）
１または２以上のガスメータを備える建物を対象としたＬＰガスボンベの配送計画の策定を支援するための装置であって、
前記建物の前記ガスメータ毎に、当該ガスメータの検針で得られた値に基づいて、当該ガスメータが対応する供給先における一日当たりのガス使用量を算出し、算出した前記ガスメータ毎のガス使用量を合算する、第１の計算部と、
前記建物から回収された前記ＬＰガスボンベに新たにＬＰガスを充填したときの充填量を、前記ＬＰガスボンベの使用が開始されてから回収されるまでの期間で、除算する、第２の計算部と、
前記第１の計算部が算出した合算値と、前記第２の計算部が算出した除算値とを対比し、値が大きい方を、前記建物における一日当たりのガス使用量に決定する、ガス使用量決定部と、
を備えていることを特徴とする配送支援装置。
【００５５】
（付記２）
前記ガス使用量決定部によって決定された、前記建物における一日当たりのガス使用量に基づいて、前記ＬＰガスボンベの配送予定日を決定する、予定日決定部を更に備えている、請求項１に記載の配送支援装置。
【００５６】
（付記３）
前記建物が、２以上のガスメータを備える集合住宅である、請求項１または２に記載の配送支援装置。
【００５７】
（付記４）
前記ガスメータの検針が定期的に実行されており、
前記第１の計算部が、連続して実行された２回の検針で得られた値から、前記供給先における一日当たりのガス使用量を算出する、
付記１〜３のいずれかに記載の配送支援装置。
【００５８】
（付記５）
前記ガス使用量決定部が、前記合算値の算出の元となった前記２回の検針の間の期間と、前記除算値の元となった前記ＬＰガスボンベの使用が開始されてから回収されるまでの期間とが重なる場合に、前記第１の計算部が算出した合算値と、前記第２の計算部が算出した除算値とを対比する、
付記４に記載の配送支援装置。
【００５９】
（付記６）
前記ガス使用量決定部が、決定した前記建物における一日当たりのガス使用量の値を、前記建物の環境に応じて補正する、
付記１〜５のいずれかに記載の配送支援装置。
【００６０】
（付記７）
１または２以上のガスメータを備える建物を対象としたＬＰガスボンベの配送計画の策定を支援するための方法であって、
（ａ）前記建物の前記ガスメータ毎に、当該ガスメータの検針で得られた値に基づいて、当該ガスメータが対応する供給先における一日当たりのガス使用量を算出し、算出した前記ガスメータ毎のガス使用量を合算する、ステップと、
（ｂ）前記建物から回収された前記ＬＰガスボンベに新たにＬＰガスを充填したときの充填量を、前記ＬＰガスボンベの使用が開始されてから回収されるまでの期間で、除算する、ステップと、
（ｃ）前記（ａ）のステップで算出した合算値と、前記（ｂ）のステップで算出した除算値とを対比し、値が大きい方を、前記建物における一日当たりのガス使用量に決定する、ステップと、
を有することを特徴とする配送支援方法。
【００６１】
（付記８）
（ｄ）前記（ｃ）のステップで決定された、前記建物における一日当たりのガス使用量に基づいて、前記ＬＰガスボンベの配送予定日を決定する、ステップを更に有する、付記７に記載の配送支援方法。
【００６２】
（付記９）
前記建物が、２以上のガスメータを備える集合住宅である、付記７または８に記載の配送支援方法。
【００６３】
（付記１０）
前記ガスメータの検針が定期的に実行されており、
前記（ａ）のステップで、連続して実行された２回の検針で得られた値から、前記供給先における一日当たりのガス使用量を算出する、
付記７〜９のいずれかに記載の配送支援方法。
【００６４】
（付記１１）
前記（ｃ）のステップで、前記合算値の算出の元となった前記２回の検針の間の期間と、前記除算値の元となった前記ＬＰガスボンベの使用が開始されてから回収されるまでの期間とが重なる場合に、前記第１の計算部が算出した合算値と、前記第２の計算部が算出した除算値とを対比する、
付記１０に記載の配送支援方法。
【００６５】
（付記１２）
前記（ｃ）のステップで、決定した前記建物における一日当たりのガス使用量の値を、前記建物の環境に応じて補正する、
付記７〜１１のいずれかに記載の配送支援方法。
【００６６】
（付記１３）
コンピュータによって、１または２以上のガスメータを備える建物を対象としたＬＰガスボンベの配送計画の策定を支援するためのプログラムであって、
前記コンピュータに、
（ａ）前記建物の前記ガスメータ毎に、当該ガスメータの検針で得られた値に基づいて、当該ガスメータが対応する供給先における一日当たりのガス使用量を算出し、算出した前記ガスメータ毎のガス使用量を合算する、ステップと、
（ｂ）前記建物から回収された前記ＬＰガスボンベに新たにＬＰガスを充填したときの充填量を、前記ＬＰガスボンベの使用が開始されてから回収されるまでの期間で、除算する、ステップと、
（ｃ）前記（ａ）のステップで算出した合算値と、前記（ｂ）のステップで算出した除算値とを対比し、値が大きい方を、前記建物における一日当たりのガス使用量に決定する、ステップと、
を実行させるプログラム。
【００６７】
（付記１４）
（ｄ）前記（ｃ）のステップで決定された、前記建物における一日当たりのガス使用量に基づいて、前記ＬＰガスボンベの配送予定日を決定する、ステップを更に前記コンピュータに実行させる、付記１３に記載のプログラム。
【００６８】
（付記１５）
前記建物が、２以上のガスメータを備える集合住宅である、付記１３または１４に記載のプログラム。
【００６９】
（付記１６）
前記ガスメータの検針が定期的に実行されており、
前記（ａ）のステップで、連続して実行された２回の検針で得られた値から、前記供給先における一日当たりのガス使用量を算出する、
付記１３〜１５のいずれかに記載のプログラム。
【００７０】
（付記１７）
前記（ｃ）のステップで、前記合算値の算出の元となった前記２回の検針の間の期間と、前記除算値の元となった前記ＬＰガスボンベの使用が開始されてから回収されるまでの期間とが重なる場合に、前記第１の計算部が算出した合算値と、前記第２の計算部が算出した除算値とを対比する、
付記１６に記載のプログラム。
【００７１】
（付記１８）
前記（ｃ）のステップで、決定した前記建物における一日当たりのガス使用量の値を、前記建物の環境に応じて補正する、
付記１３〜１７のいずれかに記載のプログラム。
【産業上の利用可能性】
【００７２】
以上のように、本発明によれば、検針漏れがあった場合でも、ＬＰガスボンベの最適な配送計画の策定を支援することができるので、ＬＰガスが足りなくなったり、十分に残量がある状態でＬＰガスボンベを交換してしまったり、といった事態が回避される。本発明は、ＬＰガスの配送業務用のシステムに有用である。
【符号の説明】
【００７３】
１０  配送支援装置
１１  第１の計算部
１２  第２の計算部
１３  ガス使用量決定部
１４  予定日決定部
１５  記憶部
２０  検針用の端末
３０  ＬＰガスボンベのガス充填センターの端末
４０  ＬＰガスボンベの配送担当者の端末
５０  ネットワーク
６１  ＬＰガスボンベ
６２  ガスメータ
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2012219933.tif 000003
【図２】
2012219933.tif 000004
【図３】
2012219933.tif 000005
【図４】
2012219933.tif 000006
【図５】
2012219933.tif 000007
【図６】
2012219933.tif 000008
【図７】
2012219933.tif 000009